(57)【要約】【課題】作業性の向上や半嵌合の防止等を図ることが可能な電気接続箱を提供する。【解決手段】電気接続箱１は、電気接続箱本体６と固定脚部７、８とを備えて構成される。電気接続箱本体６は、この下側に電線端末組み付け部１３を有する。電線端末組み付け部１３は、電線端末の端子を内部に挿入して組み付ける部分として形成される。電線端末組み付け部１３は、車両固定先に対向する位置に配置形成される。固定脚部７、８は、電気接続箱１を車両固定先に固定する部分として形成される。固定脚部７、８は、電気接続箱本体６から電線端末組み付け部１３の形成位置を越えて車両固定先の側に突出する形状に形成される。これらのうち固定脚部８は、電気接続箱本体６の側面にヒンジ１６を介して一体化するように形成される。ヒンジ１６にて一体化する固定脚部８は、電気接続箱本体６に対し回転自在な部分に形成される。ヒンジ１６による回転軸は、車両振動方向に沿うよう設定される。【選択図】図２
2015192588.tif 000002
【特許請求の範囲】
【請求項１】
電線端末の端子を内部に挿入して組み付ける部分、及び／又は電線端末のコネクタを組み付ける部分として形成される電線端末組み付け部を車両固定先に対向する位置に配置してなる箱本体と、
該箱本体から前記電線端末組み付け部の形成位置を越えて前記車両固定先の側に突出する構造体部とを備える電気接続箱において、
当該電気接続箱は、ヒンジとロック部とを有し、
前記ヒンジは、前記構造体部を前記箱本体に対し回転自在に一体化する部分として形成され、
前記ロック部は、前記ヒンジにより前記構造体部を回転移動させて前記車両固定先の側に突出する位置に配置した時に前記構造体部を前記箱本体に対しロック状態にする部分として形成され、
さらに、前記ヒンジによる回転軸は、車両振動方向に沿うよう設定される
ことを特徴とする電気接続箱。
【請求項２】
請求項１に記載の電気接続箱において、
前記構造体部は、当該電気接続箱を前記車両固定先に固定するための複数の固定脚部のうち少なくとも一つとして形成される
ことを特徴とする電気接続箱。
【発明の詳細な説明】
【技術分野】
【０００１】
本発明は、車両に搭載される電気接続箱に関する。
【背景技術】
【０００２】
自動車等の車両に搭載される電気機器として、例えば電気接続箱が挙げられる。電気接続箱は、リレーボックスやヒューズボックス、或いはジャンクションブロックや電子制御ユニットボックス等を総称するものとして知られる。下記特許文献１には、電気接続箱に関する技術が開示される。以下、図面を参照しながら簡単に説明をする。
【０００３】
図７において、電気接続箱１０１は、電気接続箱本体１０２と、この電気接続箱本体１０２の上面側を覆うカバー１０３と、複数の固定脚部１０４とを備えて構成される。また、電気接続箱１０１は、ボルト１０５を用いて車両のボディ１０６に固定される。電気接続箱本体１０２は、矩形で箱形状の樹脂部１０７を有する。この樹脂部１０７には、固定脚部１０４が連成される。固定脚部１０４は、樹脂部１０７の側面における下側かつ四隅近傍位置に連続するように形成される。固定脚部１０４は、電気接続箱本体１０２をボディ１０６から所定の間隔をあけて配置することができるようにＬ字状の脚形状に形成される。尚、上記間隔をあけるのは、ワイヤハーネス１０８を引き込むためである。
【０００４】
ワイヤハーネス１０８は、複数の電線１０９を束にすることにより形成される。各電線１０９の端末には、図示しない端子が設けられる。端子は、樹脂部１０７の下側の電線端末組み付け部（図示省略）を介して内部に挿入される。電線端末組み付け部は、ボディ１０６に対向するように配置形成される。樹脂部１０７の内部に挿入された端子は、所定位置で保持される。端子は、樹脂部１０７の内部で保持された後、樹脂部１０７の上側から装着されるリレー１１０やヒューズ１１１に対して電気的に接続される。
【先行技術文献】
【特許文献】
【０００５】
【特許文献１】特開２００−３６６７８号公報
【発明の概要】
【発明が解決しようとする課題】
【０００６】
上記従来技術にあっては、樹脂部１０７の下側の電線端末組み付け部を介して電線１０９の端末の端子が内部に挿入される。そのため固定脚部１０４が邪魔になると作業性が悪くなってしまうという問題点につながる。以下、図８及び図９を参照しながら作業性が悪くなる構造についてもう少し詳しく説明をする。図８は電気接続箱を下側から（ボディ側から）見た斜視図、図９は図８の電気接続箱の側面図である。
【０００７】
図８及び図９において、電気接続箱１１２は、電気接続箱本体１１３と、この電気接続箱本体１１３に一体化する固定脚部１１４、１１５とを備えて構成される。電気接続箱本体１１３は、矩形で箱形状の樹脂部１１６を有しており、この樹脂部１１６の左右両側面に固定脚部１１４、１１５が一体に配置形成される。固定脚部１１４、１１５は、電気接続箱本体１１３をボディから所定の間隔をあけて配置することができるように脚形状に形成される。固定脚部１１４、１１５は、樹脂部１１６と一体に樹脂成形される。
【０００８】
固定脚部１１４の先端には、ボディの係止穴に引っ掛かり係止される係止部１１７が形成される。また、固定脚部１１５の先端には、ボディのスタッドボルトを挿通するためのボルト挿通孔１１８が形成される。固定脚部１１４、１１５は、電気接続箱本体１１３を支えるために比較的大きな構造体になるように形成される。固定脚部１１４、１１５は、樹脂部１１６の下側に配置される電線端末組み付け部１１９を越えてボディ側に突出するように形成される。
【０００９】
電線端末組み付け部１１９には、端子挿入部１２０が複数開口形成される。端子挿入部１２０は、電線（図示省略）の端末に設けられた端子を端子収容部に挿入開始する部分として形成される。上記端子収容部は、樹脂部１１６の上側に向けてのびるように形成される。端子収容部に端子が収容保持された状態で樹脂部１１６の上側からヒューズ等が装着されると、このヒューズは端子に対し電気的に接続される。
【００１０】
上記構成及び構造において、固定脚部１１４、１１５は比較的大きな構造体であることから、電線端末の端子を端子挿入部１２０に挿入する際に固定脚部１１４、１１５が邪魔になり、作業者の手が当たったりすると挿入作業がスムーズに進まなくなってしまう。従って、電線端末組み付け部１１９の形成位置を越えてボディ側に突出する固定脚部１１４、１１５が比較的大きな構造体として存在すると、作業性が悪くなってしまうという問題点を有する。この他、作業者の手が固定脚部１１４、１１５に当たると端子の挿入が途中になってしまう虞があることから、半嵌合（保持不良）が発生するという問題点も有する。
【００１１】
尚、上記問題点の対策案として、固定脚部１１４、１１５を樹脂部１１６に対し別部品にして端子挿入後に樹脂部１１６の側面に一体化させることが考えられるが、別部品にするとコスト面や部品管理面等に支障を来してしまうという別な問題点が生じてしまう。
【００１２】
本発明は、上記した事情に鑑みてなされたもので、作業性の向上や半嵌合の防止等を図ることが可能な電気接続箱を提供することを課題とする。
【課題を解決するための手段】
【００１３】
上記課題を解決するためになされた請求項１に記載の本発明は、電線端末の端子を内部に挿入して組み付ける部分、及び／又は電線端末のコネクタを組み付ける部分として形成される電線端末組み付け部を車両固定先に対向する位置に配置してなる箱本体と、該箱本体から前記電線端末組み付け部の形成位置を越えて前記車両固定先の側に突出する構造体部とを備える電気接続箱において、当該電気接続箱は、ヒンジとロック部とを有し、前記ヒンジは、前記構造体部を前記箱本体に対し回転自在に一体化する部分として形成され、前記ロック部は、前記ヒンジにより前記構造体部を回転移動させて前記車両固定先の側に突出する位置に配置した時に前記構造体部を前記箱本体に対しロック状態にする部分として形成され、さらに、前記ヒンジによる回転軸は、車両振動方向に沿うよう設定されることを特徴とする。
【００１４】
請求項２に記載の本発明は、請求項１に記載の電気接続箱において、前記構造体部は、当該電気接続箱を前記車両固定先に固定するための複数の固定脚部のうち少なくとも一つとして形成されることを特徴とする。
【発明の効果】
【００１５】
請求項１に記載された本発明によれば、電線端末の端子を電線端末組み付け部に挿入して組み付けをする際に、及び／又は電線端末のコネクタを電線端末組み付け部に組み付ける際に、電線端末組み付け部の形成位置を越えて構造体部が突出してない状態にしておけば作業者の手が構造体部に当たってしまうことがなくなることから、また、邪魔に感じることがなくなることから、結果、スムーズに作業をすることができるという効果を奏する。すなわち、作業性の向上を図ることができるという効果を奏する。また、本発明によれば、上記の如く作業者の手が構造体部に当たってしまうことがなくなることから、端子挿入等の組み付けが途中になることもなく、結果、半嵌合を防止することができるという効果を奏する。この他、本発明によれば、箱本体と構造体部とをヒンジで一体化させる構造になることから、別部品にした場合と比べてコスト面や部品管理面等を良好にすることができるという効果を奏する。また、本発明によれば、ヒンジによる回転軸が車両振動方向に沿うよう設定されることから、車両の振動が直接力加わらない方向にヒンジとロック部とを形成することができ、結果、強度を確保することができるという効果を奏する。
【００１６】
請求項２に記載された本発明によれば、請求項１の効果に加え次のような効果を更に奏する。すなわち、箱本体を車両固定先から所定の間隔をあけて配置するように固定脚部を備えた電気接続箱であり、ヒンジにて固定脚部を回転移動させればスムーズに作業をすることができるという効果を奏する。
【図面の簡単な説明】
【００１７】
【図１】本発明の電気接続箱を車両固定先に固定した状態を示す斜視図である。
【図２】図１の電気接続箱を車両固定先側から見た状態を示す斜視図である。
【図３】図２の電気接続箱の電気接続箱本体に対し固定脚部を固定する前の状態を示す斜視図である。
【図４】図１の電気接続箱を向きを変えた状態で示す斜視図である。
【図５】電線端末の端子を電線端末組み付け部に挿入して組み付けをする際の状態を示す電気接続箱の側面図である。
【図６】図５の組み付け後の状態を示す電気接続箱の側面図である。
【図７】従来例の電気接続箱の分解斜視図である。
【図８】問題点説明用の図であり、電気接続箱をボディ側から見た状態を示す斜視図である。
【図９】図８の電気接続箱の側面図である。
【発明を実施するための形態】
【００１８】
電気接続箱は、箱本体と構造体部とを備えて構成される。箱本体は、この下側に電線端末組み付け部を有する。電線端末組み付け部は、電線端末の端子を内部に挿入して組み付ける部分として形成される。電線端末組み付け部は、車両固定先に対向する位置に配置形成される。構造体部は、電気接続箱を車両固定先に固定するための固定脚部として形成される。構造体部は、箱本体から電線端末組み付け部の形成位置を越えて車両固定先の側に突出する形状に形成される。また、構造体部は、箱本体の側面にヒンジを介して一体化するように形成される。ヒンジにて一体化する構造体部は、箱本体に対し回転自在な部分に形成される。従って、電線端末の端子を内部に挿入する際に構造体部を邪魔にならない位置に退避させておくことが可能になる。上記端子挿入後、構造体部を回転移動させると箱本体に対しロック状態になる。これにより、電気接続箱は車両固定先への固定が可能な状態になる。ヒンジに関しては、回転軸が車両振動方向に沿うよう設定されることが好ましい。
【実施例】
【００１９】
以下、図面を参照しながら実施例を説明する。図１は本発明の電気接続箱を車両固定先に固定した状態を示す斜視図である。また、図２は図１の電気接続箱を車両固定先側から見た状態を示す斜視図、図３は図２の電気接続箱の電気接続箱本体に対し固定脚部を固定する前の状態を示す斜視図、図４は図１の電気接続箱を向きを変えた状態で示す斜視図である。
【００２０】
図１において、引用符号１は本発明に係る電気接続箱を示す。電気接続箱１は、ワイヤハーネス２を引き込んだ状態で車両のボディ３（車両固定先）に固定される。具体的には、ボディ３の係止穴に引っ掛かり係止されるとともに、ボディ３に立設するスタッドボルト４とナット５との締め付けにより固定される（固定方向は一例である）。本実施例の電気接続箱１は、特に限定するものでないがキャビンに搭載されるヒューズボックスである。電気接続箱１には、図示しない複数のヒューズやリレーが装着される。本発明は、ボディ３との間にワイヤハーネス２を引き込んだ電気接続箱１が対象になる。
【００２１】
図１及び図２において、電気接続箱１は、電気接続箱本体６（箱本体）と、この電気接続箱本体６に対し不動状態で一体化する固定脚部７と、電気接続箱本体６に対し回転自在に一体化する固定脚部８（構造体部）とを備えて構成される。
【００２２】
電気接続箱本体６は、矩形で箱形状の樹脂部９と、この樹脂部９の内部に収容保持される複数の端子（図示省略）とを備えて構成される。複数の端子は、ワイヤハーネス２を構成する複数本の電線の端末に設けられる。複数の端子は、導電性を有する金属板をプレス加工することにより形成される。複数の端子は、公知のものが採用される。複数の端子は、図示しない複数のヒューズやリレーの装着方向の逆側から挿入されて、そして樹脂部９の内部に収容保持される。
【００２３】
樹脂部９は、樹脂成形により例えば図示形状に形成される（形状は一例である）。樹脂部９は、固定脚部７、８とを一体にして樹脂成形される。ここで矢印Ｐを上下方向、矢印Ｑを左右方向、矢印Ｒを前後方向（向きは一例である）とすると、樹脂部９は上面側に複数のヒューズ装着部１０や、リレー装着部１１を有する。複数のヒューズ装着部１０やリレー装着部１１を有することから、樹脂部９の上面側は電気部品装着部１２として形成される。
【００２４】
電気部品装着部１２の反対側には、電線端末組み付け部１３が形成される。電線端末組み付け部１３は、電線端末の上記端子を樹脂部９の内部に挿入して組み付けを行う部分として形成される。電線端末組み付け部１３には、端子挿入部１４が複数開口形成される。端子挿入部１４は、電線端末に設けられた端子を図示しない端子収容部に挿入開始する部分として形成される。上記端子収容部は、電気部品装着部１２に向けてのびるように形成される。端子収容部に端子が収容保持された状態で樹脂部９の上側からヒューズ等が装着されると、このヒューズは端子に対して電気的に接続される。
【００２５】
図１ないし図４において、樹脂部９の左側面１５には、固定脚部８がヒンジ１６を介して一体に形成される。また、樹脂部９の右側面１７には、固定脚部７が一体に形成される。さらに、樹脂部９の前面１８及び後面１９には、固定脚部８をロック状態にするための一対の本体側ロック部２０（ロック部）が形成される。一対の本体側ロック部２０は、固定脚部８の後述する一対の固定脚側ロック部２２を引っ掛けて係止するための部分として形成される。本実施例においては、固定脚側ロック部２２の係止突起２４を通過させることができるような、また、係止突起２４を引っ掛けて係止することができるようなブリッジ形状の部分に形成される。
【００２６】
尚、後に図５及び図６を参照することにより分かるようになるが、一対の本体側ロック部２０は固定脚側ロック部２２の回転軌跡上に配置形成される。本体側ロック部２０及び固定脚側ロック部２２の図示形状は一例であり（ロック状態にすることができればよい）、例えば本体側ロック部２０が固定脚部８に形成され、固定脚側ロック部２２が樹脂部９に形成されてもよい。
【００２７】
ブリッジ形状となる本体側ロック部２０の形成部分は、上記の如く引っ掛けて係止するという機能の他に、後述する固定脚側ロック部２２を矢印Ｐ方向（上下方向）と矢印Ｒ方向（前後方向）に移動規制するという機能も有する。従って、本体側ロック部２０に固定脚側ロック部２２が係止されて固定脚部８と樹脂部９とのロック状態が形成されると、固定脚部８は恰もはじめから樹脂部９に不動状態に一体化したかのようになる。
【００２８】
ヒンジ１６は、十分な屈曲性を有する薄肉の部分であって、樹脂部９の左側面１５に連続するように形成される。ヒンジ１６は、これによる回転軸が車両振動方向に沿ってのびるように配置形成される（別な言い方をすれば、ヒンジ１６の延在方向が車両振動方向と同じ方向になるように配置形成される）。本実施例においては、車両振動方向が矢印Ｒの前後方向に一致するように設定される。ヒンジ１６は、固定脚部８の幅に応じた長さで形成される。ヒンジ１６は、固定脚部８を回転自在に連続させる部分として形成される。また、ヒンジ１６は、固定脚部８を樹脂部９の左側面１５に面接触させることができるように形成される。
【００２９】
固定脚部７、８は、電気接続箱本体６をボディ３から所定の間隔をあけて配置する構造体として形成される。また、固定脚部７、８は、電気接続箱本体６を支える構造体として形成される。固定脚部７、８は、電線端末組み付け部１３の形成位置を越えてボディ３側に突出する形状に形成される。先ず、ヒンジ１６に連続する固定脚部８の方から説明をする。
【００３０】
固定脚部８は、略柱状となる形状に形成される。固定脚部８は、この基端部分がヒンジ１６に連続するように形成される。固定脚部８の先端には、ボディ３の図示しない係止穴に引っ掛かり係止される係止部２１が形成される。固定脚部８の一対の側部には、それぞれ固定脚側ロック部２２（ロック部）が形成される。この一対の固定脚側ロック部２２は、片状の係止部分に形成される。すなわち、片状部２３と、この片上部２３の先窄み部分に突出する係止突起２４とを有する片状の係止部分に形成される。一対の固定脚側ロック部２２は、固定脚部８の基端部分に近い位置に配置形成される（ヒンジ１６に近い位置に配置形成される。一例である）。
【００３１】
固定脚部８は、ヒンジ１６により回転自在になることから、一対の固定脚側ロック部２２が回転軌跡を描きながら樹脂部９の本体側ロック部２０に差し込まれて係止される。
【００３２】
次に、固定脚部７について説明をする。固定脚部７は、右側面１７に平行な第一壁部２５と、この第一壁部２５に垂直な第二壁部２６と、固定脚部７の先端位置に配置される第三壁部２７とを有して、樹脂部９の右側面１７に不動状態になるように一体形成される。尚、固定脚部７は、不動状態でなく、固定脚部８と同様の回転自在な構造を採用してもよいものとする。
【００３３】
第三壁部２７には、ボディ３に立設するスタッドボルト４を挿通するためのボルト挿通孔２８が形成される。このような第三壁部２７の下面は、ボディ３に載置される面として平坦に形成される。また、上面は、ナット５及びワッシャ２９の座面として平坦に形成される。尚、ボディ３の図示しない係止穴に固定脚部８の係止部２１が係止された状態では、ナット５の締め付けを行っても電気接続箱１の回りが規制されるのは勿論である。
【００３４】
上記構成及び構造において、図５及び図６を参照しながら電線端末の端子を電線端末組み付け部１３に挿入する作業について説明をする。図５及び図６は、端子を挿入する前後の電気接続箱１を樹脂部９の後面１９側から見た側面図である。
【００３５】
図５において、電線端末の端子を電線端末組み付け部１３に挿入して組み付けをする際には、先ず固定脚部８を作業者の邪魔にならない位置にまで退避させておく。この退避により、電線端末組み付け部１３の形成位置がフラットな状態になることから、作業者の手が固定脚部８に当たってしまうことがなくなるとともに、邪魔に感じなくなり、結果、スムーズに作業をすることができる。上記構成及び構造により、作業性の向上を図ることができる。また、固定脚部８の退避により、作業者の手が固定脚部８に当たってしまうことがなくなることから、端子挿入等の組み付けが途中になってしまうこともなく、結果、半嵌合を防止することができる。
【００３６】
図６において、端子の組み付けが完了した後に固定脚部８を回転移動させると、この固定脚部８は電気接続箱本体６に対しロック状態になる。これにより、電気接続箱１はボディ３への固定が可能な状態になる。
【００３７】
以上、図１ないし図６を参照しながら説明してきたように、電気接続箱１によれば、ヒンジ１６と本体側ロック部２０と固定脚側ロック部２２とを有することから、図８及び図９の構造のものに比べ、作業性の向上や半嵌合の防止等を図ることができるという効果を奏する。
【００３８】
また、電気接続箱１によれば、車両の振動が直接力加わらない方向にヒンジ１６と本体側ロック部２０と固定脚側ロック部２２とを形成することから、これらがあっても強度を十分に確保することができるという効果を奏する。
【００３９】
本発明は本発明の主旨を変えない範囲で種々変更実施可能なことは勿論である。
【００４０】
尚、上記説明では、電線端末組み付け部１３が電線端末の端子を内部に挿入して組み付ける部分として形成されていたが、これに限らず電線端末のコネクタを組み付ける部分として形成されてもよいものとする。
【符号の説明】
【００４１】
１…電気接続箱、  ２…ワイヤハーネス、  ３…ボディ（車両固定先）、  ４…スタッドボルト、  ５…ナット、  ６…電気接続箱本体（箱本体）、  ７…固定脚部、  ８…固定脚部（構造体部）、  ９…樹脂部、  １０…ヒューズ装着部、  １１…リレー装着部、  １２…電気部品装着部、  １３…電線端末組み付け部、  １４…端子挿入部、  １５…左側面、  １６…ヒンジ、  １７…右側面、  １８…前面、  １９…後面、  ２０…本体側ロック部（ロック部）、  ２１…係止部、  ２２…固定脚側ロック部（ロック部）、  ２３…片状部、  ２４…係止突起、  ２５…第一壁部、  ２６…第二壁部、  ２７…第三壁部、  ２８…ボルト挿通孔、  ２９…ワッシャ
【図１】
2015192588.tif 000003
【図２】
2015192588.tif 000004
【図３】
2015192588.tif 000005
【図４】
2015192588.tif 000006
【図５】
2015192588.tif 000007
【図６】
2015192588.tif 000008
【図７】
2015192588.tif 000009
【図８】
2015192588.tif 000010
【図９】
2015192588.tif 000011